(57)【要約】【課題】  入力応答としての操作感触を表面パネルのどの部分からも感じることができる入力装置を提供することを目的とする。【解決手段】  第１の駆動信号Ｓｄ１を生成し、振動発生装置１５Ａから振動を発生させ、その後、遅延時間Ｔの経過後に第２の駆動信号Ｓｄ２を生成し、振動発生装置１５Ｂから振動を発生させる。  このようにすると、表面パネル１３に伝達される、双方の振動発生装置から発生された振動の波において、腹となる部分と節となる部分との位置が適当に分散されて、双方の振動の波が表面パネル１３全体に、確実に伝達される。その結果、操作者は、表面パネル１３への押圧操作に対する応答としての操作感触を表面パネル１３のどの部分からも感じることができるようになる。【選択図】図３
2006209570.tif 000002
【特許請求の範囲】
【請求項１】
内部に押圧操作を検出する検出手段が設けられた表面パネルと、前記表面パネルに振動を与える第１の励振手段および第２の励振手段と、前記第１の励振手段を駆動する第１の駆動信号および前記第２の励振手段を駆動する第２の駆動信号を生成する駆動手段とを備えた入力装置において、
前記第１の駆動信号と前記第２の駆動信号とを時間的にずらして前記駆動手段から発生させ、前記第１の励振手段と前記第２の励振手段とを時間的にずらして駆動する制御手段が設けられていることを特徴とする入力装置。
【請求項２】
内部に押圧操作を検出する検出手段が設けられた表面パネルと、前記表面パネルに振動を与える第１の励振手段および第２の励振手段と、前記第１の励振手段を駆動する第１の駆動信号および前記第２の励振手段を駆動する第２の駆動信号を生成する駆動手段とを備えた入力装置において、
前記表面パネルは四角形であり、前記表面パネルの互いに直交して延びる２つの端辺の一方に沿って前記第１の励振手段が配置され、他方に沿って前記第２の励振手段が配置されていることを特徴とする入力装置。
【請求項３】
前記第１の駆動信号と前記第２の駆動信号とを時間的にずらして前記駆動手段から発生させ、第１の励振手段と第２の励振手段とを時間的にずらして駆動する制御手段が設けられている請求項２記載の入力装置。
【請求項４】
前記表面パネルは短辺と長辺を有し、前記第１の励振手段が前記短辺に沿って配置され、前記第２の励振手段は、前記長辺に沿って配置され且つ前記長辺の中心よりも前記第１の励振手段から離れる方向へ偏った位置に配置されている請求項２または３記載の入力装置。
【請求項５】
前記第２の駆動信号は、前記第１の駆動信号の発生から所定の遅延時間Ｔの経過後に発生され、
前記遅延時間Ｔは、前記第１の駆動信号によって前記第１の励振手段が駆動され、前記第１の励振手段から前記表面パネルに伝達される波が、前記第１の励振手段が設けられている端辺から、前記表面パネルのうち前記第１の励振手段が設けられている端辺とは反対側の端辺に到達するまでの到達時間をｔ０とすると、ｔ０／２≦Ｔ≦ｔ０である請求項１，３，４のいずれかに記載の入力装置。
【発明の詳細な説明】
【技術分野】
【０００１】
本発明は、タッチパネルなどの表面パネルの入力操作に対する応答として振動を発生させる入力装置に係り、特に、入力応答としての操作感触を表面パネルのどの部分からも感じることができる入力装置に関する。
【背景技術】
【０００２】
図５は従来の入力装置を表面パネル側からみた平面図、図６は従来の振動発生装置の駆動信号を示す図である。なお、図６において、横軸ｔは時間を、縦軸Ｖは前記駆動信号の電圧値を示している。
【０００３】
操作者が表面パネル１３の表示領域１３Ａに対する押圧操作を行うと、表面パネル１３に設けられた検出手段によって、押圧操作が行われた押圧箇所の座標データが検出される。入力装置１０の制御手段は、前記座標データを前記検出手段から取得し、操作者により押圧操作が行われたと判断すると、起動信号を、振動発生装置１５Ａ，１５Ｂを駆動する駆動手段に向けて出力する。起動信号を受信した前記駆動手段は、図６に示すような、所定の周波数からなる第１の駆動信号Ｓｄ１および第２の駆動信号Ｓｄ２を生成し、第１の駆動信号Ｓｄ１を振動発生装置１５Ａに向けて出力し、第２の駆動信号Ｓｄ２を振動発生装置１５Ｂに向けて出力する。そして、振動発生装置１５Ａ，１５Ｂから振動が発生させられ、この振動の波が表面パネル１３の表面（図示Ｚ１方向の面）を伝わる。これによって、表面パネル１３の押圧操作に対する応答として、操作者に、表面パネル１３を介してクリック感（操作感触）が与えられる。
【０００４】
下記特許文献１には、従来の透明フラットスピーカが開示されている。
図７は従来の透明フラットスピーカの励振方式を示す背面図である。
【０００５】
透明フラットスピーカ２００では、２つの励振器２０１，２０１を用いて透明平板２０２を駆動して振動を発生させ、その振動により拡声させられる。
【０００６】
励振器２０１，２０１は、透明平板２０２の長辺エッジ２０２ａ上と短辺エッジ２０２ｂ上に設けられている。
【特許文献１】特開２００２−２５２８９５号公報
【発明の開示】
【発明が解決しようとする課題】
【０００７】
しかし、前記従来の入力装置１０では、図５に示すように、振動発生装置１５Ａと１５Ｂが対称な位置に配置され、かつ図６に示すように、振動発生装置１５Ａの第１の駆動信号Ｓｄ１と振動発生装置１５Ｂの第２の駆動信号Ｓｄ２が、時刻ｔ１に同時に生成されて、振動発生装置１５Ａと１５Ｂが同時に駆動される。このため、図５に示す領域１０１，１０３，１０５を押圧操作した場合においては、操作者は前記クリック感を感じることができる。ここで、表示領域１３Ａを５等分して５つの領域に分割し、図示Ｘ１側からＸ２方向に、領域１０１，１０２，１０３，１０４，１０５とする。一方、領域１０２，１０４では、振動発生装置１５Ａ，１５Ｂから発生される振動の波が干渉して、表面パネル１３の表面を伝わる前記振動の波が弱められるため、領域１０２，１０４を押圧操作した場合においては、操作者は前記クリック感をほとんど感じることができない。すなわち、前記従来の入力装置１０では、表面パネル１３のうち、前記クリック感を感じることができる領域と前記クリック感を感じることができない領域とが存在してしまう。
【０００８】
また、前記特許文献１では、励振器２０１，２０１の駆動方法については全く記載されていない。
【０００９】
本発明は上記従来の課題を解決するものであり、入力応答としての操作感触を表面パネルのどの部分からも感じることができる入力装置を提供することを目的としている。
【課題を解決するための手段】
【００１０】
第１の本発明は、内部に押圧操作を検出する検出手段が設けられた表面パネルと、前記表面パネルに振動を与える第１の励振手段および第２の励振手段と、前記第１の励振手段を駆動する第１の駆動信号および前記第２の励振手段を駆動する第２の駆動信号を生成する駆動手段とを備えた入力装置において、
前記第１の駆動信号と前記第２の駆動信号とを時間的にずらして前記駆動手段から発生させ、前記第１の励振手段と前記第２の励振手段とを時間的にずらして駆動する制御手段が設けられていることを特徴とする。
【００１１】
第１の本発明では、第１の駆動信号と第２の駆動信号とを時間的にずらして生成し、第１の励振動手段と第２の励振動手段とを時間的にずらして振動させる。このため、表面パネルに伝達される、第１の励振動手段から発生された振動の波の位相と第２の励振動手段から発生された振動の波の位相がずれ、双方の振動の波において、腹となる部分と節となる部分との位置が適当に分散されて、双方の振動の波が表面パネル全体に、確実に伝達される。その結果、操作者は、表面パネルへの押圧操作に対する応答としての操作感触を表面パネルのどの部分からも感じることができるようになる。
【００１２】
第２の本発明は、内部に押圧操作を検出する検出手段が設けられた表面パネルと、前記表面パネルに振動を与える第１の励振手段および第２の励振手段と、前記第１の励振手段を駆動する第１の駆動信号および前記第２の励振手段を駆動する第２の駆動信号を生成する駆動手段とを備えた入力装置において、
前記表面パネルは四角形であり、前記表面パネルの互いに直交して延びる２つの端辺の一方に沿って前記第１の励振手段が配置され、他方に沿って前記第２の励振手段が配置されていることを特徴とするものである。
【００１３】
この場合も、前記第１の駆動信号と前記第２の駆動信号とを時間的にずらして前記駆動手段から発生させ、第１の励振手段と第２の励振手段とを時間的にずらして駆動する制御手段が設けられていることが好ましい。
【００１４】
上記のように、第１の励振手段と第２の励振手段を、互いに直交する端辺に配置すると、従来のように、第１の駆動信号と第２の駆動信号を同時に発生させて、第１の励振手段と第２の励振手段を同時に駆動した場合でも、または、上記のように、第１の駆動信号と第２の駆動信号を時間的にずらして発生させて、第１の励振手段と第２の励振手段を時間的にずらして駆動した場合でも、第１の励振手段から発生される振動の波と第２の励振手段から発生される振動の波とが干渉し、双方の振動の波が表面パネル全体に、確実に伝達される。その結果、操作者は、表面パネルへの押圧操作に対する応答としての操作感触を表面パネル１のどの部分からも感じることができるようになる。
【００１５】
さらには、前記表面パネルは短辺と長辺を有し、前記第１の励振手段が前記短辺に沿って配置され、前記第２の励振手段は、前記長辺に沿って配置され且つ前記長辺の中心よりも前記第１の励振手段から離れる方向へ偏った位置に配置されていることが好ましい。
【００１６】
このようにすると、第１の励振手段および第２の励振手段の双方から発生される振動の波が表面パネル全体に、より確実に伝達される。その結果、操作者は、表面パネルへの押圧操作に対する応答としての操作感触を、より確実に表面パネルのどの部分からも感じることができるようになる。
【００１７】
本発明では、たとえば、前記第２の駆動信号は、前記第１の駆動信号の発生から所定の遅延時間Ｔの経過後に発生され、
前記遅延時間Ｔは、前記第１の駆動信号によって前記第１の励振手段が駆動され、前記第１の励振手段から前記表面パネルに伝達される波が、前記第１の励振手段が設けられている端辺から、前記表面パネルのうち前記第１の励振手段が設けられている端辺とは反対側の端辺に到達するまでの到達時間をｔ０とすると、ｔ０／２≦Ｔ≦ｔ０であることが好ましい。
【００１８】
遅延時間Ｔをこのように設定すると、第１の励振手段および第２の励振手段の双方から発生される振動の波が表面パネル全体に、より確実に伝達される。その結果、操作者は、表面パネルへの押圧操作に対する応答としての操作感触を、より確実に表面パネルのどの部分からも感じることができるようになる。
【発明の効果】
【００１９】
本発明の入力装置では、入力応答としての操作感触を表面パネルのどの部分からも感じることができる。
【発明を実施するための最良の形態】
【００２０】
図１は本発明の入力装置の構成を示すブロック図、図２は本発明の入力装置を示す断面図で、図５の２−２線での切断断面図、図３は本発明の振動発生装置に与えられる駆動信号を示す図である。なお、図３において、横軸ｔは時間を、縦軸Ｖは前記駆動信号の電圧値を示している。
【００２１】
本発明の入力装置１０は、例えばカーナビゲーションシステムのうち、地図などが表示される表示部に用いられる。あるいは、家庭用電子機器、事務用電子機器などの操作パネル部に用いられる。
【００２２】
入力装置１０は、図１に示すように、いわゆるタッチパネルなどの表面パネル１３に設けられる検出手段Ｋ、画像などが表示される表示手段１４、励振手段として動作する振動発生装置１５Ａ（第１の励振手段），１５Ｂ（第２の励振手段）、振動発生装置１５Ａ，１５Ｂを駆動する駆動手段１６および制御手段１７などを有している。
【００２３】
入力装置１０は、図５に示すように、筐体１１を有しており、筐体１１には例えば四角状の開口部１１Ａが形成されている。筐体１１の下面（図示Ｚ２方向の面）側には表面パネル１３が設けられており、開口部１１Ａから表面パネル１３の一部である表示領域１３Ａが露出している。
【００２４】
表面パネル１３は、図２に示すように、上部シート１３ａと下部基板１３ｂを有し、全体として光透過である。
【００２５】
上部シート１３ａは、透明なポリエチレンテレフタレート等の合成樹脂から形成されて可撓性を有しており、上部シート１３ａの下面全面には上部抵抗膜が、ＩＴＯ（酸化インジウムスズ）を原料としてスパッタリング法や真空蒸着法などで所定の厚さで形成されている。前記上部抵抗膜上のうち図示Ｙ１側およびＹ２側の端辺には、図示Ｙ１−Ｙ２方向に間隔を置いて平行に形成された、銀等からなる１対の上部電極が形成されている。
【００２６】
下部基板１３ｂは透明なガラス基板であり、下部基板１３ｂの上面（図示Ｚ１方向の面）の所定の領域に、前記上部抵抗膜と同様に、ＩＴＯから形成される下部抵抗膜が所定の厚さで形成されている。前記下部抵抗膜上のうち図示Ｘ１側およびＸ２側の端辺には、図示Ｘ１−Ｘ２方向に間隔を置いて平行に形成された、銀等からなる１対の下部電極が形成されている。
【００２７】
上部シート１３ａは、前記上部抵抗膜を前記下部抵抗膜に対向させて、下部基板１３ｂと対向するように組み合わされている。そして、前記上部抵抗膜、前記上部電極、前記下部抵抗膜、前記下部電極によって、検出手段Ｋが構成されている。
【００２８】
筐体１１の下面側で、開口部１１Ａの周縁部には、ゴムなどからなる弾性支持部材１２が設けられており、弾性支持部材１２の下部に表面パネル１３が固定されている。すなわち、表面パネル１３は、弾性支持部材１２を介して、開口部１１Ａに弾性的に支持されている。
【００２９】
そして、表示領域１３Ａが、筐体１１の開口部１１Ａを介して外部に露出されており、表示領域１３Ａにおいて、指や操作ペン等の操作体によって表面パネル１３を押圧操作できるようになっている。
【００３０】
たとえば図示しない操作ペンで、表示領域１３Ａに対応する、表面パネル１３の上部シート１３ａを下方へ押圧すると、上部シート１３ａが下方に変形して、上部シート１３ａの前記上部抵抗膜と下部基板１３ｂの前記下部抵抗膜が接触する。ここで、制御手段１７により所定の時間間隔で、電圧が上部シート１３ａの前記上部電極間と下部基板１３ｂの前記下部電極間とに交互に複数回印加される。上部シート１３ａの前記上部電極間に電圧が印加されると、上部シート１３ａの前記上部抵抗膜と下部基板１３ｂの前記下部抵抗膜との接触点と、上部シート１３ａの前記上部電極間の抵抗比から、操作ペンの図示Ｙ１−Ｙ２方向の座標位置が検出される。同様に、下部基板１３ｂの前記下部電極間に電圧が印加されると、前記接触点と下部基板１３ｂの前記下部電極間の抵抗比から、操作ペンの図示Ｘ１−Ｘ２方向の座標位置が検出される。このようにして、操作ペンの、表示領域１３Ａ内におけるＸＹ平面内での座標位置が検出される。
【００３１】
表示領域１３Ａの下方には、下部基板１３ｂと所定の間隔をあけて、ＦＰＤ（フラットパネルディスプレイ）等からなる表示手段１４が配置されている。図１に示すように、制御手段１７から各種の表示データが表示手段１４に与えられると、表示手段１４には前記表示データに基づく画像が表示される。そして、表示手段１４に表示された画像は、表示領域１３Ａを介して外部から視認することができるようになっている。よって、操作者は、表面パネル１３を通して見える画像を確認しながら、表示領域１３Ａに対し押圧操作（入力操作）を行うことが可能となっている。
【００３２】
表面パネル１３の下部基板１３ｂの下面１３ｂ１で、弾性支持部材１２によって弾性支持されている部分よりも図示Ｘ１側の端辺１３１に振動発生装置１５Ａが、図示Ｘ２側の端辺１３２に振動発生装置１５Ｂが固定されている。すなわち、振動発生装置１５Ａと１５Ｂは、図５に示すように、対称に配置されている。
【００３３】
振動発生装置１５Ａ，１５Ｂを覆うケースの内部には、ヨーク部材、マグネットおよび鉄心に巻かれたコイル等（いずれも図示せず）が設けられている。振動発生装置１５Ａ，１５Ｂでは、例えば前記ヨーク部材と前記マグネットとが磁路を形成し、前記鉄心と前記コイルとは弾性的に支持されており、前記コイルに電流が流されると、前記磁路を形成する磁界と前記電流とによって磁気駆動力が発生し、前記鉄心と前記コイルとが図示Ｚ１−Ｚ２方向へ振動するような仕組みになっている。
【００３４】
なお、振動発生装置１５Ａ，１５Ｂとしては、上記のような磁気駆動力を利用したものには限定されず、たとえば、振動発生装置１５Ａ，１５Ｂの内部に圧電振動子が設けられ、この圧電振動子によって振動させられるものであってもよい。
【００３５】
制御手段１７はＣＰＵを主体とし、記憶手段、演算手段および各種のインターフェースなどを有している。
【００３６】
次に、本発明の入力装置１０の動作について、図１のブロック図にもとづいて説明する。
【００３７】
制御手段１７は、所定の表示データを出力することにより、表示手段１４に所定の画像を表示させている。また、制御手段１７は、常に、表示パネル１３の検出手段Ｋの状態を監視している。具体的には、制御手段１７は、前記のように検出手段Ｋに対し所定の電圧を一定の周期で印加するとともに、表示領域１３Ａに対する押圧操作によって生じる抵抗値変化を電圧変化として検出している。操作者が表示領域１３Ａに対して押圧操作を行うと、上記原理によって、前記押圧操作が行われた押圧箇所の座標データが検出される。制御手段１７は、この座標データを検出手段Ｋから取得できるようになっている。
【００３８】
制御手段１７は前記座標データを取得し、操作者により押圧操作が行われたと判断すると、起動信号Ｓ１を駆動手段１６に向けて出力する。起動信号Ｓ１を受信した駆動手段１６は、図３に示すように、所定の周波数を有する第１の駆動信号Ｓｄ１を、時刻ｔａのときに生成して、振動発生装置１５Ａに向けて出力し、その後、遅延時間Ｔの経過後に、所定の周波数を有する第２の駆動信号Ｓｄ２を、時刻ｔｂのときに生成して、振動発生装置１５Ｂに向けて出力する。
【００３９】
第１の駆動信号Ｓｄ１および第２の駆動信号Ｓｄ２は、共に所定周波数の信号が短時間継続するものであり、この駆動信号を受けた振動発生手段１５Ａまたは振動発生手段１５Ｂは、短時間の振動を発生する。
【００４０】
振動発生装置１５Ａから、上記原理によって振動が発生させられ、遅延時間Ｔ（＝ｔｂ−ｔａ）の経過後に、振動発生装置１５Ｂから、上記原理によって振動が発生させられる。そして、振動発生装置１５Ａ，１５Ｂから発生される振動が表面パネル１３に波として伝達され、表面パネル１３を介して操作者に、前記押圧操作に対する応答であるクリック感（操作感触）が与えられる。
【００４１】
本発明では、第１の駆動信号Ｓｄ１を振動発生装置１５Ａに向けて出力して振動発生装置１５Ａを振動させ、その後、遅延時間Ｔの経過後に、第２の駆動信号Ｓｄ２を生成し、第２の駆動信号Ｓｄ２を振動発生装置１５Ｂに向けて出力して振動発生装置１５Ｂを振動させる。すなわち、第１の駆動信号Ｓｄ１と第２の駆動信号Ｓｄ２とを時間的にずらして生成し、振動発生装置１５Ａと振動発生装置１５Ｂとを時間的にずらして振動させる。このため、表面パネル１３に伝達される、振動発生装置１５Ａから発生された振動の波の位相と振動発生装置１５Ｂから発生された振動の波の位相がずれ、双方の振動の波において、腹となる部分と節となる部分との位置が適当に分散されて、双方の振動の波が表面パネル１３全体に、確実に伝達される。その結果、操作者は、前記押圧操作に対する応答としての前記クリック感を表面パネル１３のどの部分からも感じることができるようになる。なお、上記においては、振動発生装置１５Ａと１５Ｂは、対称に設けられている必要はなく、後述するように、振動発生装置１５Ｂが、振動発生装置１５Ａが設けられる、表面パネルの端辺と直交する方向の端辺に設けられていてもよい。
【００４２】
また、本発明では、遅延時間Ｔは、振動発生装置１５Ａから発生された振動の波が、表面パネル１３の図示Ｘ２側の端辺１３２まで、すなわち、表面パネル１３の端辺のうち振動発生装置１５Ａが固定された端辺とは反対側の端辺までに到達する時間（到達時間）をｔ０とすると、ｔ０／２≦Ｔ≦ｔ０であることが好ましい。遅延時間Ｔをこのように設定すると、振動発生装置１５Ａおよび１５Ｂ双方から発生される振動の波が表面パネル１３全体に、より確実に伝達される。その結果、操作者は、前記押圧操作に対する応答としての前記クリック感を、より確実に表面パネル１３のどの部分からも感じることができるようになる。
【００４３】
図４は本発明の入力装置の変形例を示す、図５と同様の平面図である。
図４において、図５に示す入力装置１０と同様の部材等には同一の符号を付し、説明を省略する。
【００４４】
本変形例の入力装置１０Ａでは、入力装置１０と異なり、振動発生装置１５Ｂは、図４に示すように、表面パネル１３の下部基板１３ｂの下面１３ｂ１で、弾性支持部材１２によって弾性支持されている部分よりも図示Ｙ２側（長辺側）の端辺１３３に設けられ、すなわち、振動発生装置１５Ｂは振動発生装置１５Ａと対称には設けられておらず、振動発生装置１５Ａが設けられている短辺側である端辺１３１と直交する方向に設けられ、かつ、端辺１３３の中央部から図示Ｘ１側またはＸ２側に所定距離、好ましくはＬ／５（Ｌは表示領域１３Ａの図示Ｘ１―Ｘ２方向の寸法）だけ離れたところに固定される。
【００４５】
このようにすると、振動発生装置１５Ａの第１の駆動信号Ｓｄ１と振動発生装置１５Ｂの第２の駆動信号Ｓｄ２を、図５の従来のように、同時に発生させて、振動発生装置１５Ａと１５Ｂを同時に駆動した場合でも、または、第１の駆動信号Ｓｄ１と第２の駆動信号Ｓｄ２を、図３に示すように、時間的にずらして発生させて、振動発生装置１５Ａと１５Ｂを時間的にずらして駆動した場合でも、振動発生装置１５Ａから発生される振動の波と振動発生装置１５Ｂから発生される振動の波とが干渉し、双方の振動の波が表面パネル１３全体に、確実に伝達される。その結果、操作者は、押圧操作に対する応答としての前記クリック感を表面パネル１３のどの部分からも感じることができるようになる。
【００４６】
また、上記においては、振動発生装置１５Ｂは、表面パネル１３の端辺１３３の中央部から図示Ｘ２側、すなわち、振動発生装置１５Ａが固定されている、表面パネル１３の端辺１３１とは反対側の端辺１３２の方向に所定距離離されて固定されることが好ましい。
【００４７】
このようにすると、振動発生装置１５Ａおよび１５Ｂの双方から発生される振動の波が表面パネル１３全体に、より確実に伝達される。その結果、操作者は、押圧操作に対する応答としての前記クリック感を、より確実に表面パネル１３のどの部分からも感じることができるようになる。
【００４８】
なお、上記においては、振動発生装置１５Ｂは、表面パネル１３の図示Ｙ２側の端辺１３３にではなく、図示Ｙ１側の端辺１３４に設けられてもよい。
【００４９】
また、本発明では、振動発生装置１５Ａは、表面パネル１３の図示Ｘ１側の端辺１３１にではなく、図示Ｘ２側の端辺１３２に固定されていてもよい。この場合には、振動発生装置１５Ｂは、表面パネル１３の図示Ｙ２側の端辺１３３または図示Ｙ１側の端辺１３４の中央部から図示Ｘ１側に所定距離離されて固定されることが好ましい。
【００５０】
あるいは、振動発生装置１５Ａが、表面パネル１３の図示Ｙ２側の端辺１３３に設けられ、振動発生装置１５Ｂが、表面パネル１３の図示Ｘ１側の端辺１３１または図示Ｘ２側の端辺１３２の中央部から図示Ｙ１側に所定距離離されて固定されていてもよい。または、振動発生装置１５Ａが、表面パネル１３の図示Ｙ１側の端辺１３４に設けられ、振動発生装置１５Ｂが、表面パネル１３の図示Ｘ１側の端辺１３１または図示Ｘ２側の端辺１３２の中央部から図示Ｙ２側に所定距離離されて固定されていてもよい。
【図面の簡単な説明】
【００５１】
【図１】本発明の入力装置の構成を示すブロック図、
【図２】本発明の入力装置を示す断面図で、図５の２−２線での切断断面図、
【図３】本発明の振動発生装置に与えられる駆動信号を示す図、
【図４】本発明の入力装置の変形例を示す、図５と同様の平面図、
【図５】従来の入力装置を表面パネル側からみた平面図、
【図６】従来の振動発生装置の駆動信号を示す図、
【図７】従来の透明フラットスピーカの励振方式を示す背面図
【符号の説明】
【００５２】
１０，１０Ａ  入力装置
１１  筐体
１１Ａ  開口部
１３  表面パネル
１３Ａ  表示領域
１５Ａ，１５Ｂ  振動発生装置
１６  駆動手段
１３１，１３２，１３３，１３４  端辺
Ｓｄ１  第１の駆動信号
Ｓｄ２  第２の駆動信号
Ｔ  遅延時間
【図１】
2006209570.tif 000003
【図２】
2006209570.tif 000004
【図３】
2006209570.tif 000005
【図４】
2006209570.tif 000006
【図５】
2006209570.tif 000007
【図６】
2006209570.tif 000008
【図７】
2006209570.tif 000009